(57)【要約】【課題】簡単な操作で確実に操作部材による設定内容を識別させることが可能な撮像装置を得る。【解決手段】撮影に関する設定を選択する操作部材と、非押し込み状態で操作部材の操作を規制し、押し込まれたときに操作部材の操作を許すロック解除部材と、ロック解除部材の押し込み操作を検出する検出手段とを備え、検出手段によってロック解除部材の押し込み操作を検出したときに、操作部材による設定内容を被写体画像表示用の画像表示部で表示したり、操作部材の内側に設けた照明手段によって該操作部材の設定表示部を照明する。【選択図】図８
2015154323.tif 000002
【特許請求の範囲】
【請求項１】
複数ポジションを選択可能で、各ポジションで撮影に関する設定を決める操作部材と、
押し込み操作可能で、非押し込み状態で前記操作部材の操作を規制し、押し込まれたときに前記操作部材の操作を許すロック解除部材と、
前記ロック解除部材の押し込み操作を検出する検出手段と、
撮像光学系によって得られる被写体画像や各種情報を表示する画像表示部と、
前記検出手段によって前記ロック解除部材の押し込み操作を検出したときに、前記操作部材により選択されている設定内容を前記画像表示部に表示する表示制御手段と、
を有することを特徴とする撮像装置。
【請求項２】
前記表示制御手段は、前記操作部材のイメージ画像を前記画像表示部に表示させ、かつ該イメージ画像のうち前記操作部材による選択内容に対応した部分を強調表示させることを特徴とする請求項１に記載した撮像装置。
【請求項３】
前記強調表示は、前記操作部材のイメージ画像の一部を指す矢印表示からなることを特徴とする請求項２に記載した撮像装置。
【請求項４】
前記強調表示は、前記操作部材のイメージ画像の一部の発光態様の変化により行われることを特徴とする請求項２に記載した撮像装置。
【請求項５】
前記表示制御手段は、前記操作部材のイメージ画像が前記画像表示部に表示されているとき、該操作部材の動作に伴って前記イメージ画像の表示を動作させることを特徴とする請求項２ないし４のいずれか１項に記載した撮像装置。
【請求項６】
前記表示制御手段は、前記操作部材のイメージ画像を、撮像光学系によって得られる被写体画像と重ねて表示させることを特徴とする請求項２ないし５のいずれか１項に記載した撮像装置。
【請求項７】
前記表示制御手段は、前記ロック解除部材の押し込み操作を継続している間、前記操作部材により選択されている設定内容の前記画像表示部への表示を継続することを特徴とする請求項１ないし６のいずれか１項に記載した撮像装置。
【請求項８】
前記表示制御手段は、前記ロック解除部材を１回押し込み操作することにより、前記操作部材により選択されている設定内容を前記画像表示部に表示し、前記ロック解除部材の２回目の押し込み操作によって前記設定内容を前記画像表示部に非表示にさせることを特徴とする請求項１ないし６のいずれか１項に記載した撮像装置。
【請求項９】
前記表示制御手段は、前記ロック解除部材を押し込み操作することにより、前記操作部材により選択されている設定内容を前記画像表示部に表示し、前記押し込み操作から所定時間経過後に前記画像表示部における前記設定内容の表示を終了させることを特徴とする請求項１ないし６のいずれか１項に記載した撮像装置。
【請求項１０】
前記表示制御手段は、前記撮像装置の電源がオンになったときに、前記操作部材により選択されている設定内容を前記画像表示部に表示することを特徴とする請求項１ないし９のいずれか１項に記載した撮像装置。
【請求項１１】
複数ポジションを選択可能で、各ポジションで撮影に関する設定を決める操作部材と、
押し込み操作可能で、非押し込み状態で前記操作部材の操作を規制し、押し込まれたときに前記操作部材の操作を許すロック操作部材と、
前記ロック操作部材の押し込み操作を検出する検出手段と、
前記操作部材に設けた、該操作部材によって選択される複数の設定内容を示す複数の透光性の表示要素を有する設定表示部と、
前記操作部材の内側から前記設定表示部を照明する照明手段と、
前記検出手段によって前記ロック操作部材の押し込み操作を検出したときに、前記照明手段を点灯する表示制御手段と、
を有することを特徴とする撮像装置。
【請求項１２】
前記照明手段は、前記設定表示部の複数の表示要素のうち、前記操作部材により選択された設定内容に対応した表示要素のみを照明する位置に設けられていることを特徴とする請求項１１に記載した撮像装置。
【請求項１３】
前記表示制御手段は、前記撮像装置の電源がオンになったときに、前記照明手段を点灯させることを特徴とする請求項１１または１２に記載した撮像装置。
【請求項１４】
前記操作部材は撮影モードの切換を行うモード切換部材であることを特徴とする請求項１ないし１３のいずれか１項に記載した撮像装置。
【請求項１５】
前記操作部材は回転操作可能なダイヤルであることを特徴とする請求項１ないし１４のいずれか１項に記載した撮像装置。
【発明の詳細な説明】
【技術分野】
【０００１】
本発明は撮像装置に関し、特に撮影に関する設定を行う操作部材を有する撮像装置に関する。
【背景技術】
【０００２】
カメラなどの撮像装置で、操作部材を照明して視認性を高める技術が提案されている。特許文献１では、撮影モードや撮影パラメータ（シャッタ速度や絞りなど）を示す複数の絵文字や数字が記載されたモード盤の周囲に回転操作可能なベゼルを配し、ベゼル上の指標によって撮影モードや撮影パラメータの選択状態を示すタイプの操作部材において、絵文字や数字を内側から個別に照明する照明手段をモード盤内に設けている。
【０００３】
特許文献２では、撮影モードを示す複数の文字や絵文字が記載され回転操作可能なダイヤルと、ダイヤル上の文字や絵文字との位置合わせによって撮影モードの選択状態を示す指標とを有するタイプの操作部材において、指標を透光性の材質で形成し、指標の内側に複数色を表示可能な照明手段を設けている。ダイヤルを回転させて撮影モードを変更すると照明の色が変化し、指標の色の変化によって撮影モードを識別させることができる。
【先行技術文献】
【特許文献】
【０００４】
【特許文献１】特許第３４６２７９９号
【特許文献２】特許第４４１６２９０号
【発明の概要】
【発明が解決しようとする課題】
【０００５】
撮像装置における照明付きの操作部材は、消費電力を抑えるために、撮像装置本体の電源がオンになっていても操作から一定時間経過すると照明を消灯させるのが一般的である。特許文献１の操作部材では、夜間や暗い室内のような環境下でモード盤内の照明が消えると撮影モードや撮影パラメータを視認しづらくなり、照明を再度点灯させるためには、ベゼルを回転させたり電源を入れ直したりする必要があり、手間がかかっていた。
【０００６】
特許文献２の操作部材では、ダイヤル上の文字や絵文字が照明されないため、夜間や暗い室内という環境下で指標を照明しても文字や絵文字が見えづらく、いずれの撮影モードが選択されているかを識別しにくいおそれがある。また、指標における照明の内容（色や発光態様の変化）に基づいて撮影モードを識別させるためには、照明の内容と撮影モードの関係を予めユーザーが認識している必要性がある。
【０００７】
本発明は、以上の問題意識に基づき、簡単な操作で確実に操作部材による設定内容を識別させることが可能な撮像装置を提供することを目的とする。
【課題を解決するための手段】
【０００８】
本発明の第１の態様の撮像装置は、複数ポジションを選択可能で、各ポジションで撮影に関する設定を決める操作部材と、押し込み操作可能で、非押し込み状態で操作部材の操作を規制し、押し込まれたときに操作部材の操作を許すロック解除部材と、ロック解除部材の押し込み操作を検出する検出手段と、撮像光学系によって得られる被写体画像や各種情報を表示する画像表示部と、検出手段によってロック解除部材の押し込み操作を検出したときに、操作部材により選択されている設定内容を画像表示部に表示する表示制御手段と、を有することを特徴とする。
【０００９】
表示制御手段は、操作部材のイメージ画像を画像表示部に表示させ、かつ該イメージ画像のうち操作部材による選択内容に対応した部分を強調表示させることにより、操作部材による設定内容を表示する。強調表示として、操作部材のイメージ画像の一部を指す矢印表示を用いたり、操作部材のイメージ画像における一部の発光態様の変化を用いたりすることができる。
【００１０】
表示制御手段は、操作部材のイメージ画像が画像表示部に表示されているときに、該操作部材の動作に伴ってイメージ画像の表示を動作させてもよい。
【００１１】
また、表示制御手段によって、操作部材のイメージ画像を撮像光学系によって得られる被写体画像と重ねて表示させてもよい。ユーザーは被写体画像を見ながら操作部材による選択操作を行うことができるため、構図や画角を変動させることなく設定の変更を実行できる。
【００１２】
表示制御手段は、操作部材で選択した設定内容の画像表示部への表示や非表示を、次のようなタイミングで行うことができる。例えば、ロック解除部材の押し込み操作を継続している間は、画像表示部への設定内容の表示を継続する。あるいは、ロック解除部材を１回押し込み操作することにより画像表示部への設定内容の表示を行い、ロック解除部材の２回目の押し込み操作によって画像表示部で設定内容を非表示にさせる。さらに異なる形態として、ロック解除部材の押し込み操作に応じて設定内容を画像表示部に表示し、この押し込み操作から所定時間経過後に画像表示部における設定内容の表示を終了させる。
【００１３】
表示制御手段は、撮像装置の電源がオンになったときに、操作部材により選択されている設定内容を画像表示部に表示することが好ましい。
【００１４】
本発明の第２の態様の撮像装置は、複数ポジションを選択可能で、各ポジションで撮影に関する設定を決める操作部材と、押し込み操作可能で、非押し込み状態で操作部材の操作を規制し、押し込まれたときに前記操作部材の操作を許すロック操作部材と、ロック操作部材の押し込み操作を検出する検出手段と、操作部材に設けた、該操作部材によって選択される複数の設定内容を示す複数の透光性の表示要素を有する設定表示部と、操作部材の内側から設定表示部を照明する照明手段と、検出手段によってロック操作部材の押し込み操作を検出したときに、照明手段を点灯する表示制御手段と、を有することを特徴とする。
【００１５】
照明手段は、設定表示部の複数の表示要素のうち、操作部材により選択された設定内容に対応した表示要素のみを照明する位置に設けられていることが好ましい。
【００１６】
表示制御手段は、撮像装置の電源がオンになったときに、照明手段を点灯させることが好ましい。
【００１７】
以上の各態様の撮像装置は任意の操作部材の操作状態の報知に適用することができるが、一例として、撮影モードの切換を行うモード切換部材の操作状態の報知に用いることができる。また、本発明を適用する操作部材は任意のものを選択できるが、一例として回転操作可能なダイヤルを備えた撮像装置に好適な発明である。
【発明の効果】
【００１８】
本発明の撮像装置では、ロック解除部材を押す簡単な操作によって、画像表示部や操作部材内の照明手段の点灯を用いた設定内容の表示が行われ、夜間や暗い室内などの環境下でも、操作部材によって選択されている設定内容を簡単かつ確実に識別することができる。
【００１９】
さらにロック解除部材の押し込み操作によって操作部材の設定を画像表示部に表示する形態では、撮像光学系によって得られる画像と重ねて操作部材の設定内容を表示させることで、構図と設定内容を同時に確認できる。
【図面の簡単な説明】
【００２０】
【図１】本発明を適用したデジタルカメラの一実施形態の外観を示す前方斜視図である。
【図２】同デジタルカメラの後方斜視図である。
【図３】同デジタルカメラのモード選択ダイヤルとその周囲を平面視した図である。
【図４】図３のＡ−Ａ線に沿う、モード切換ダイヤルロックボタンを操作していない状態の同デジタルカメラの断面図である。
【図５】図３のＡ−Ａ線に沿う、モード切換ダイヤルロックボタンを押し込んだ状態の同デジタルカメラの断面図である。
【図６】図３のＢ−Ｂ線に沿う同デジタルカメラの断面図である。
【図７】同デジタルカメラのモード選択ダイヤルの内部構造とその周囲を平面視した図である。
【図８】同デジタルカメラのＬＣＤモニタにモード選択ダイヤルの操作状況を表示している状態の図である。
【図９】同デジタルカメラの要部をブロックで示す図である。
【発明を実施するための形態】
【００２１】
図１と図２に示すデジタルカメラ１は箱型の筐体を有しており、その上面に、撮影時に押下するシャッターボタン（レリーズボタン）２、電源のオンオフを行わせる電源ボタン３、撮影モードを切り換えるモード切換ダイヤル４、モード切換ダイヤル４をロック状態とロック解除状態にさせるモード切換ダイヤルロックボタン５、シフトダイヤル６、必要時にポップアップする収納型のフラッシュ部７、外部フラッシュや外付け光学ファインダを取り付けるアクセサリシュー８を有する。デジタルカメラ１の前面には撮影光学系を内蔵した鏡胴ユニット９が設けられ、後面には、ズームボタン１０、メニューカーソル指示ボタン類および選択指示ボタン１１、再生ボタン１２、削除／セルフタイマーボタン１３、被写体の画像や各種情報を表示するＬＣＤモニタ１４、ＬＣＤモニタ１４の表示切り替え処理に適用する切り替えボタン１５、撮影被写体に対する焦点制御が完了して合焦状態となったことを示す確認ランプとして機能し、かつストロボの充電中に点灯表示する合焦確認・ストロボ充電確認共用発光ダイオード（ＬＥＤ表示部）１６を有する。デジタルカメラ１はさらに、ＡＶ端子口とＵＳＢ端子口（外部接続端子口）を被う端子蓋１７を側面に有し、電池挿入口と画像記録用メモリカード挿入口を被う電池蓋１８を底面に有する。このデジタルカメラ１の筐体の外面を覆う機器カバー１９は、前カバー２０、後カバー２１、上カバー２２よりなる。
【００２２】
モード切換ダイヤル４は回転可能な操作部材である。図３に示すように、モード切換ダイヤル４の上面に撮影モードを示すモード表示部３８があり、モード切換ダイヤル４の側部の上カバー２２上に指標３０が設けられている。モード表示部３８は、各撮影モードに対応する複数の記号、絵、文字からなる表示要素（アイコン）３８ａ〜３８ｉを有し、指標３０に隣接する位置にある表示要素が、モード切換ダイヤル４で選択されている撮影モードを示す。具体的には、表示要素３８ａはオート撮影モード、表示要素３８ｂはプログラムシフトモード、表示要素３８ｃは絞り優先モード、表示要素３８ｄはシャッタスピード優先モード、表示要素３８ｅはマニュアル露光モード、表示要素３８ｆはシーンモード、表示要素３８ｇから〜３８ｉはユーザーが任意に設定内容を登録可能なユーザー設定モードを示すものである。よって、指標３０と表示要素３８ａ〜３８ｉを参照することで、モード切換ダイヤル４で設定された撮影モードを確認できる。各表示要素３８ａ〜３８ｉは透光性の材質で構成されている。モード切換ダイヤル４の側部に設けられたモード切換ダイヤルロックボタン５は押し込み可能であり、押されていない状態では、モード切換ダイヤ４が意図せず回ってしまうことがないようにその回転をロックする。
【００２３】
図４から図７を参照してモード切換ダイヤル４とモード切換ダイヤルロックボタン５の詳細構造を説明する。デジタルカメラ１の筐体の上面には円筒状の支持筒部１ａが形成されている。モード切換ダイヤル４は、支持筒部１ａの内部に挿入される軸部４ａと、軸部４ａを囲む形状の外周部４ｂと、軸部４ａ及び外周部４ｂの上側を塞ぐ上面部４ｃを有し、上面部４ｃにモード表示部３８が設けられている。軸部４ａを支持筒部１ａ内に挿入させると、軸部４ａを中心として回転可能にモード切換ダイヤル４が支持される。図６に示すように、モード切換ダイヤル４の軸部４ａの先端には抜止板４ｄが固定される。抜止板４ｄは軸部４ａよりも大径の円板状をなし、固定ネジ４ｅによって軸部４ａに固定される。抜止板４ｄは支持筒部１ａの端部に係合して、支持筒部１ａから軸部４ａが抜ける方向へのモード切換ダイヤル４の移動を防ぐ。抜止板４ｄの下面にはブラシ４ｆが支持されており、ブラシ４ｆはデジタルカメラ１の筐体側に設けたコード板４ｇに接触している。モード切換ダイヤル４を回転させると、ブラシ４ｆによってコード板４ｇの道通パターンが変化し、モード切換ダイヤル４のポジション（回転位置）を検出することができる。
【００２４】
モード切換ダイヤル４の内側にはクリックストップ機構が設けられている。クリックストップ機構は、モード切換ダイヤル４の内周面に形成した凹凸部４ｈ（図６、図７）と、カメラボディ側に支持されて凹凸部４ｈの凹部に対して係脱可能なクリック凸部４ｉ（図６、図７）と、クリック凸部４ｉを凹凸部４ｈへの係合方向に付勢する圧縮バネ４ｊ（図４、図５、図７）とで構成されている。このクリックストップ機構によって、モード表示部３８の表示要素３８ａ〜３８ｉがそれぞれ指標３０に一致する複数のポジションでモード切換ダイヤル４を軽く係止させることができる。
【００２５】
図４と図５に示すように、モード切換ダイヤル４の外周部４ｂの底面には凹み溝部３１が形成されている。モード切換ダイヤルロックボタン５は上下方向に移動可能に支持されており、モード切換ダイヤル４の凹み溝部３１の下側に突起部３２が設けられている。図４はモード切換ダイヤルロックボタン５が押し込まれていない状態、図５はモード切換ダイヤルロックボタン５がユーザーによって押し込まれた状態を示している。モード切換ダイヤルロックボタン５は、圧縮スプリング３３の力により上方に向けて移動付勢されており、押し込まれていない状態では、図４に示したように、モード切換ダイヤル４の凹み溝部３１にモード切換ダイヤルロックボタン５の突起部３２が入り込むことにより、モード切換ダイヤル４の回転を規制する。これによりモード切換ダイヤル４が意図せず回ってしまうことを防止できる。モード切換ダイヤルロックボタン５を押すと、図５に示したように、モード切換ダイヤル４の下部の凹み溝部３１からモード切換ダイヤルロックボタン５の突起部３２が外れて、モード切換ダイヤル４を回転させることができるようになる。モード切換ダイヤルロックボタン５を押すのを止めると、圧縮スプリング３３の力により、モード切換ダイヤルロックボタン５が図４に示した状態に復帰して、モード切換ダイヤル４が回転しないようにロックされる。
【００２６】
モード切換ダイヤルロックボタン５の下方にロックボタン検出スイッチ３４が設けられている。図４の状態ではロックボタン検出スイッチ３４が押し込まれておらず、ロックボタン検出スイッチ３４はオフになっている。図５の状態ではモード切換ダイヤルロックボタン５の突起部３６がロックボタン検出スイッチ３４のノブ３５を押し込んで、ロックボタン検出スイッチ３４がオンする。
【００２７】
図６と図７に示すように、モード切換ダイヤル４の内側に、モード表示部３８を内側から照明するＬＥＤ３７が設けられている。ＬＥＤ３７はデジタルカメラ１の筐体の上面のうち指標３０に隣接する位置に固定的に支持されており、モード切換ダイヤル４で撮影モードを選択すると、表示要素３８ａ〜３８ｉのうちいずれか一つ（選択された撮影モードに対応する表示要素）がＬＥＤ３７の上に位置する。
【００２８】
デジタルカメラ１内部のシステム構成の概略を図９に基づいて説明する。図９において、撮像素子（ＣＣＤ）１０１は、光学画像を光電変換するための固体撮像素子である。図９では撮像素子としてＣＣＤ（電荷結合素子）を用いた構成を記載しているが、ＣＣＤに代えてＣＭＯＳ（相補型金属酸化物半導体）等を用いることも可能である。撮像処理手段としてのフロントエンドＩＣ（Ｆ／Ｅ−ＩＣ）１０２は、ＩＣ（集積回路）として構成される。デジタルスチルカメラプロセッサ１０４（以下、「プロセッサ１０４」と称する）は、画像データをＬＣＤモニタ１４やＴＶ（テレビジョン）受像機等の外部表示機器に表示させるためのビデオ信号に変換するＴＶ信号表示ブロック１０４９、撮影された画像データを記録するためのメモリカードの制御を行うメモリカードコントローラブロック１０４１０等を有している。これら図示の各ブロックは、バスラインを介して相互に接続されている。
【００２９】
ＴＶ信号表示ブロック１０４９は、ＬＣＤドライバー１０８を介してＬＣＤモニタ１４に接続されている。ＬＣＤドライバー１０８は駆動回路であり、ＬＣＤモニタ１４を駆動すると共に、ＴＶ信号表示ブロック１０４９から出力されたビデオ信号をＬＣＤモニタ１４に表示させる信号に変換する。ＬＣＤモニタ１４は、撮影前の被写体の状態の観察、撮影画像の確認、撮影モードや再生モードの表示等に用いられる表示装置である。なお、ＬＣＤモニタ１４のようなＬＣＤパネルではなく、有機エレクトロルミネッセンス（有機ＥＬ）のような他の電子ビューパネルで構成した表示装置を用いることもできる。
【００３０】
鏡胴ユニット９は、被写体の光学画像を取り込むズームレンズ８１ａを有するズーム光学系８１、フォーカスレンズ８２ａを有するフォーカス光学系８２、絞り８３ａを有する絞りユニット８３およびメカニカルシャッタ８４ａを有するメカニカルシャッタユニット８４からなるレンズ鏡筒を備えている。ズームレンズ８１ａ、フォーカスレンズ８２ａおよび絞り８３ａによって撮影光学系が構成される。ズーム光学系８１、フォーカス光学系８２、絞りユニット８３、および、メカニカルシャッタユニット８４は、それぞれ、ズームモータ８１ｂ、フォーカスモータ８２ｂ、絞りモータ８３ｂおよびメカニカルシャッタモータ８４ｂによって駆動される。この鏡胴ユニット９の各モータ８１ｂ、８２ｂ、８３ｂ及び８４ｂは、モータドライバ８５によって駆動され、モータドライバ８５は、プロセッサ１０４のＣＰＵブロック１０４３によって制御される。
【００３１】
鏡胴ユニット９の各レンズ系により得られた光学像を光電変換する撮像素子（ＣＣＤ）１０１の受光面には、被写体光学像が結像され、撮像素子（ＣＣＤ）１０１は、被写体光学像を電気的画像情報に変換してＦ／Ｅ−ＩＣ１０２に画像信号を出力する。 また、ＣＰＵブロック１０４３は、装置各部の動作を制御し、制御に必要なデータ等をローカルＳＲＡＭ１０４４に一時的に保存する。ＣＰＵブロック１０４３は、さらに、ストロボ回路１１４を制御することによってストロボ発光部７から照明光を発光させる。ＣＰＵブロック１０４３は、プロセッサ１０４のサブＣＰＵ１１２に接続され、サブＣＰＵ１１２には、各種操作スイッチからなる操作キーユニット１００、モード切換ダイヤル４（コード板４ｆ）、モード切換ダイヤルロックボタン５の押し込みを検出するロックボタン検出スイッチ３４が接続されている。操作キーユニット１００は、ユーザーが操作するキースイッチ群からなる操作部である。サブＣＰＵ１１２は、ＲＯＭ・ＲＡＭをワンチップに内蔵したＣＰＵであり、操作キーユニット１００、モード切換ダイヤル４、ロックボタン検出スイッチ３４の出力信号をユーザーの操作情報として、ＣＰＵブロック１０４３に出力する。
【００３２】
以上の構成のデジタルカメラ１は、モード切換ダイヤル４によって選択されている撮影モードをユーザーに認識させる表示機能を備える。
【００３３】
この表示機能における第１の表示形態は、ＬＥＤ３７によりモード表示部３８を照明するものである。モード切換ダイヤルロックボタン５が押されてロックボタン検出スイッチ３４がオンになったことがサブＣＰＵ１１２から入力されると、プロセッサ１０４のＣＰＵブロック１０４３はＬＥＤ３７を点灯させる。モード表示部３８の各表示要素３８ａ〜３８ｉは光を透過させる材質からなるため、点灯したＬＥＤ３７の上に位置する表示要素（モード切換ダイヤル４で選択されている撮影モードを示す表示要素）が光って表示される。これにより、夜間や周囲が暗い環境であっても、選択されている撮影モードをユーザーが確実に識別することができる。ＬＥＤ３７の点灯はモード切換ダイヤルロックボタン５の押し込み操作によって実行されるので、モード切換ダイヤル４を回転操作する手間を要さずに撮影モードを確認することができる。モード切換ダイヤルロックボタン５の押し込みを解除してロックボタン検出スイッチ３４がオフになると、プロセッサ１０４はＬＥＤ３７を消灯させる。なお、モード切換ダイヤルロックボタン５を押し込んだ後で撮影モードを切り換えるべくモード切換ダイヤル４を回転させると、これに応じてＬＥＤ３７に照明される表示要素が変化するため、撮影モードの変更を確認することができる。
【００３４】
第２の表示形態は、ＬＣＤモニタ１４の表示を用いるものである。モード切換ダイヤルロックボタン５が押されてロックボタン検出スイッチ３４がオンになったことがサブＣＰＵ１１２からプロセッサ１０４に入力されると、ＴＶ信号表示ブロック１０４９とＬＣＤドライバー１０８を介して、モード切換ダイヤル４による撮影モードの選択状況をＬＣＤモニタ１４に表示する。図８は、ロックボタン検出スイッチ３４のオンによって、モード切換ダイヤル４によるモード選択状況をＬＣＤモニタ１４に表示した様子を示したものである。ＬＣＤモニタ１４には平面視した状態のモード切換ダイヤル４を仮想的に表したイメージ画像４０が表示され、このイメージ画像４０における表示要素３８ａ〜３８ｉのうち選択されている撮影モードに対応した表示要素を、矢印指標４１で強調表示している。これにより、夜間や周囲が暗い環境であっても、選択されている撮影モードをユーザーが確実に識別することができる。ＬＣＤモニタ１４へのモード切換ダイヤル４のイメージ画像４０の表示はモード切換ダイヤルロックボタン５の押し込み操作によって実行されるので、モード切換ダイヤル４を回転操作する手間を要さずに撮影モードを確認することができる。モード切換ダイヤルロックボタン５の押し込みを解除してロックボタン検出スイッチ３４がオフになると、プロセッサ１０４はイメージ画像４０と矢印指標４１の表示を消す。なお、モード切換ダイヤルロックボタン５を押し込んだ後で撮影モードを切り換えるべくモード切換ダイヤル４を回転させると、これに応じてＬＣＤモニタ１４に表示されるモード切換ダイヤル４のイメージ画像４０を回転させたり、あるいはイメージ画像４０を回転させる代わりに矢印指標４１をイメージ画像４０の周囲に沿って移動させたりしてもよい。これにより撮影モードの変更を簡単に確認することができる。
【００３５】
ＬＣＤモニタ１４にモード切換ダイヤル４のイメージ画像４０や矢印指標４１の表示を行う場合、これらの表示を、鏡胴ユニット９の各レンズ系と撮像素子１０１によって得られる被写体画像と重ねて表示させてもよい。これにより構図や画角と併せて撮影モードを確認することができるため、特に三脚を用いた撮影時の利便性が向上する。
【００３６】
モード切換ダイヤルロックボタン５を押したとき、ＬＥＤ３７を点灯させる前記第１の表示形態と、ＬＣＤモニタ１４に撮影モード選択状態を表示させる前記第２の表示形態を任意に切り換えできるようにしたり、両方の表示形態を併用できるようにしてもよい。また、第１の表示形態と第２の表示形態のいずれにおいても、ＬＥＤ３７の点灯やＬＣＤモニタ１４上への情報表示を行うタイミングや、その点灯や情報表示を行う時間の長さは、先に述べた形態に限定されるものではなく任意に設定することができる。例えば、モード切換ダイヤルロックボタン５の押し込みを継続している間はＬＥＤ３７の点灯やＬＣＤモニタ１４上への情報表示を継続して行い、モード切換ダイヤルロックボタン５の押し込みを解除すると直ちにこれらの点灯や情報表示を終える形態や、モード切換ダイヤルロックボタン５を１回押すことでＬＥＤ３７の点灯やＬＣＤモニタ１４上への情報表示を行い、モード切換ダイヤルロックボタン５の２回目の押圧操作でこれらの点灯や情報表示を解除する形態や、モード切換ダイヤルロックボタン５を１回押すことでＬＥＤ３７の点灯やＬＣＤモニタ１４上への情報表示を行い、所定時間後にこれらの点灯や情報表示を自動的に終える形態などを選択することができる。
【００３７】
電源ボタン３はデジタルカメラ１の電源のオンオフ操作を行う操作部材である。先に述べたモード切換ダイヤルロックボタン５を押す操作に加えて、電源ボタン３が押されて電源がオンされたときにも、前記第１の表示形態（ＬＥＤ３７の点灯によるモード表示部３８の照明）や前記第２の表示形態（ＬＣＤモニタ１４への表示）によってモード切換ダイヤル４による撮影モードの選択状況を表示させてもよい。
【００３８】
モード切換ダイヤルロックボタン５が押されてロックボタン検出スイッチ３４がオンになったときや、電源ボタン３が押されて電源がオンになったときに実行される前記各形態の撮影モードの表示は一時的なものとし、所定の時間が経過すると表示をオフにしてもよい。これにより消費電力を抑えることができる。
【００３９】
本発明は以上の実施形態に限定されるものではなく、発明の要旨を逸脱しない範囲での変更が可能である。例えば、実施形態のモード切換ダイヤル４は回転式の操作部材であるが、このような回転式ではないタイプの操作部材における設定内容を表示するものとして本発明を適用することもできる。一例として、直進移動する操作部材による設定内容の表示にも適用が可能である。
【００４０】
また、操作部材により設定する内容は、実施形態のような撮影モード以外のものでもよい。一例として、絞り値やシャッタスピードのような撮影パラメータを表示するものとして本発明を適用することも可能である。
【００４１】
前記第１の表示形態ではモード切換ダイヤル４のモード表示部３８を照明する光源がＬＥＤ３７であるが、ＬＥＤ以外の光源によって操作部材を照明することも可能である。
【００４２】
前記第２の表示形態では、ＬＣＤモニタ１４上のモード切換ダイヤル４のイメージ画像４０と矢印指標４１の組み合わせで設定内容を表示しているが、矢印以外のマークを用いることも可能である。また、矢印のようなマークを用いる代わりに、モード切換ダイヤル４のイメージ画像４０の特定部位（表示要素３８ａ〜３８ｉに相当する部位等）を点滅させたり、輝度や色を変えたりするなど、発光態様の変化によって設定内容を表示させることも可能である。さらに、モード切換ダイヤルロックボタン５や電源ボタン３を押したときに、図８のように操作部材（モード切換ダイヤル４）のイメージ画像を表示する代わりに、表示要素３８ａ〜３８ｉのような設定アイコンのみをＬＣＤモニタ１４に表示するようにしてもよい。
【符号の説明】
【００４３】
１  デジタルカメラ
３  電源ボタン
４  モード切換ダイヤル（操作部材）
５  モード切換ダイヤルロックボタン（ロック解除部材）
９  鏡胴ユニット
１４  ＬＣＤモニタ（画像表示部）
３０  指標
３１  凹み溝部
３２  突起部
３４  ロックボタン検出スイッチ（検出手段）
３７  ＬＥＤ（照明手段）
３８  モード表示部（設定表示部）
３８ａ〜３８ｉ  表示要素
４０  イメージ画像
４１  矢印指標
８１  ズーム光学系
８２  フォーカス光学系
１０１  撮像素子（ＣＣＤ）
１０４  デジタルスチルカメラプロセッサ（表示制御手段）
【図１】
2015154323.tif 000003
【図２】
2015154323.tif 000004
【図３】
2015154323.tif 000005
【図４】
2015154323.tif 000006
【図５】
2015154323.tif 000007
【図６】
2015154323.tif 000008
【図７】
2015154323.tif 000009
【図８】
2015154323.tif 000010
【図９】
2015154323.tif 000011